(57)【特許請求の範囲】
【請求項１】
第１構成部材と第２構成部材とを組み合わせて構成される箱状体の内部に、吸気ダクトに連通部を介して連通する１つの共鳴室が画成されるレゾネータにおいて、
前記構成部材の少なくとも一方は、
前記共鳴室を画成する第１壁部と、
前記第１壁部の外縁辺の夫々に立設され、前記共鳴室を画成する第２壁部と、
前記第１壁部の内面および複数の前記第２壁部のうちの１つの内面に連ねて突出形成され、該第２壁部との連接端部から離れるにつれて互いに近づくように延在して該第２壁部からの延出端部が繋がる一対の第１リブと、
前記第１壁部の内面に突出形成され、異なる前記第２壁部に連なる２組の前記一対の第１リブの延出端部間に延在して該延出端部に連接する第２リブとを備え、
前記一対の第１リブは、複数の前記第２壁部のうちの少なくとも２つに対応して設けられると共に、前記延出端部における前記第１壁部からの突出寸法が、該第１リブが連なる第２壁部における第１壁部からの突出寸法より小さく設定され、
前記第１リブは、前記第２壁部において隣の第２壁部に繋がる縁から離間した位置に連なるように形成された
ことを特徴とするレゾネータ。
【請求項２】
前記一対の第１リブは、互いに合流する前記延出端部が前記第２壁部との連接端部間の中央部に位置するよう形成された請求項１記載のレゾネータ。
【請求項３】
前記一対の第１リブは、夫々の前記連接端部と該連接端部に近い側に延在する第２壁部の前記縁との離間幅が同じになるように、該第２壁部に夫々連接された請求項１または２記載のレゾネータ。
【請求項４】
前記第１リブにおける前記第１壁部からの突出寸法は、前記連接端部側から前記延出端部側へ向かうにつれて小さくなっていると共に、前記第１リブにおける前記延出端部の前記第１壁部から突出する寸法が、該第１リブが連なる前記第２壁部の該第１壁部から突出する寸法の半分以上に設定されている請求項１〜３の何れか一項に記載のレゾネータ。
【請求項５】
前記第２リブにおける前記第１壁部からの突出寸法は、該第２リブ全域が前記第１リブの延出端部における前記第１壁部からの突出寸法以下に設定された請求項１〜４の何れか一項に記載のレゾネータ。
【請求項６】
前記第１リブの延出端部は、前記第１壁部の内面から突出する柱状に形成された請求項１〜５の何れか一項に記載のレゾネータ。
【請求項７】
前記第２リブは、隣り合う前記第２壁部に夫々連なる２組の前記一対の第１リブの延出端部に繋がるように形成された請求項１〜６の何れか一項に記載のレゾネータ。
【請求項８】
前記第２リブは、対向する前記第２壁部に夫々連なる２組の前記一対の第１リブの延出端部に繋がるように形成された請求項１〜６の何れか一項に記載のレゾネータ。
【発明の詳細な説明】
【技術分野】
【０００１】
本発明は、内燃機関の吸気系に設けられるレゾネータに関するものである。
【背景技術】
【０００２】
自動車等の車両に搭載された内燃機関は、吸気ダクトを介して空気を吸い込む際に発生する吸気騒音を低減するために、吸気ダクトの途中にレゾネータが配設されている。レゾネータは、中空の箱状体であり、連通管を介して吸気ダクトに接続される。レゾネータは、低減したい騒音の周波数に応じて箱状体の内部に画成された共鳴室の容積が設定され、共鳴室による共鳴作用を利用して吸気音などの騒音を低減している。しかし、レゾネータは、壁部が共振すると、目標とする騒音の低減効果が得られない。そこで、壁部の内面にリブを設定して、壁部の剛性を高めたレゾネータが知られている(例えば、特許文献１参照)。
【先行技術文献】
【特許文献】
【０００３】
【特許文献１】特許第３６８５２９４号公報
【発明の概要】
【発明が解決しようとする課題】
【０００４】
特許文献１のレゾネータでは、天井壁、側壁および底壁に多数の補強リブが形成され、これらのリブにより壁の剛性向上を図っている。特許文献１のようなリブの補強構造は、剛性を向上させるために、リブの間隔を狭めてリブの本数を多くしたり、リブの高さを大きく必要がある。しかしながら、レゾネータは、型成形における脱型性や連通管の設定のために、リブの本数を増やしたり高さを増すことには制約があり、剛性を確保できない場合がある。前述したように、壁部の剛性が確保できないと狙った騒音低減効果を得ることができない。更に、リブの本数やリブの高さを増やすとレゾネータの重量が嵩み、コストが上昇してしまう。
【０００５】
すなわち本発明は、従来の技術に内在する前記問題に鑑み、これらを好適に解決するべく提案されたものであって、壁部の剛性を確保し得ることにより騒音低減効果に優れたレゾネータを提供することを目的とする。
【課題を解決するための手段】
【０００６】
前記課題を克服し、所期の目的を達成するため、本願請求項１に係る発明のレゾネータは、
第１構成部材と第２構成部材とを組み合わせて構成される箱状体の内部に、吸気ダクトに連通部を介して連通する１つの共鳴室が画成されるレゾネータにおいて、
前記構成部材の少なくとも一方は、
前記共鳴室を画成する第１壁部と、
前記第１壁部の外縁辺の夫々に立設され、前記共鳴室を画成する第２壁部と、
前記第１壁部の内面および複数の前記第２壁部のうちの１つの内面に連ねて突出形成され、該第２壁部との連接端部から離れるにつれて互いに近づくように延在して該第２壁部からの延出端部が繋がる一対の第１リブと、
前記第１壁部の内面に突出形成され、異なる前記第２壁部に連なる２組の前記一対の第１リブの延出端部間に延在して該延出端部に連接する第２リブとを備え、
前記一対の第１リブは、複数の前記第２壁部のうちの少なくとも２つに対応して設けられると共に、前記延出端部における前記第１壁部からの突出寸法が、該第１リブが連なる第２壁部における第１壁部からの突出寸法より小さく設定され、
前記第１リブは、前記第２壁部において隣の第２壁部に繋がる縁から離間した位置に連なるように形成されたことを要旨とする。
請求項１に係る発明によれば、第１壁部および第２壁部の間に連なる一対の第１リブは、第２壁部との連接端部から離れるにつれて互いに近づくよう延在して、該第２壁部からの延出端部が繋がっているので、第２壁部に掛かる力を互いに支持することができる。また、一対の第１リブは、互いに繋がる延出端部が、第１壁部から立ち上がる第２リブに繋がり、この第２リブによって支持される。ここで、第２リブは、異なる第２壁部に連なる２組の第１リブの延出端部間に延在しているので、異なる第２壁部に掛かる力を第２リブを介して第１リブおよび第２壁部で互いに支持することができる。このように一対の第１リブと第２リブとからなるリブ構造で、壁部の剛性を確保することができ、壁部の共振を抑えて、狙い通りの騒音低減効果が得られる。しかも、１つの第２壁部に連なるリブを２本の第１リブだけとし得るリブ構造であり、リブの本数を少なくし得るので、軽量化をなし得ると共に、型成形時の制約が小さく、設計の自由度を向上することができる。
【０００７】
請求項２に係る発明は、前記一対の第１リブは、互いに合流する前記延出端部が前記第２壁部との連接端部間の中央部に位置するよう形成されたことを要旨とする。
請求項２に係る発明によれば、一対の第１リブが互いに合流する延出端部が、第２壁部に連なる連接端部間の中央部に位置しているので、両第１リブに掛かる力を延出端部に集中させ易く、両第１リブでバランスよく第２壁部を支持できる。これにより、壁部の剛性を高めることができる。
【０００８】
請求項３に係る発明は、前記一対の第１リブは、夫々の前記連接端部と該連接端部に近い側に延在する第２壁部の前記縁との離間幅が同じになるように、該第２壁部に夫々連接されたことを要旨とする。
請求項３に係る発明によれば、一対の第１リブが、隣の第２壁部に連なる一方の縁側に偏ることなく、両縁の間にバランスよく配置されているので、第２壁部の剛性を効果的に高めることができる。
【０００９】
請求項４に係る発明は、前記第１リブにおける前記第１壁部からの突出寸法は、前記連接端部側から前記延出端部側へ向かうにつれて小さくなっていると共に、前記第１リブにおける前記延出端部の前記第１壁部から突出する寸法が、該第１リブが連なる前記第２壁部の該第１壁部から突出する寸法の半分以上に設定されていることを要旨とする。
請求項４に係る発明によれば、第１リブにより第２壁部に掛かる力を効果的に支持できる。
【００１０】
請求項５に係る発明は、前記第２リブにおける前記第１壁部からの突出寸法は、該第２リブ全域が前記第１リブの延出端部における前記第１壁部からの突出寸法以下に設定されたことを要旨とする。
請求項５に係る発明によれば、第２リブにおける第１壁部からの突出寸法を、該第２リブ全域が第１リブの延出端部における第１壁部からの突出寸法以下にしても第２壁部の剛性を確保し得るので、第２リブの高さを抑えることができ、軽量化を図り得る。
【００１１】
請求項６に係る発明は、前記第１リブの延出端部は、前記第１壁部の内面から突出する柱状に形成されたことを要旨とする。
請求項６に係る発明によれば、一対の第１リブが合流する延出端部で第２壁部に掛かる力を効果的に支持できる。
【００１２】
請求項７に係る発明は、前記第２リブは、隣り合う前記第２壁部に夫々連なる２組の前記一対の第１リブの延出端部に繋がるように形成されたことを要旨とする。
請求項７に係る発明によれば、このようにリブが配置されて、第１壁部の中央部にスペースを設けることができるので、このスペースに例えば連通管などの構成を配置できる。
【００１３】
請求項８に係る発明は、前記第２リブは、対向する前記第２壁部に夫々連なる２組の前記一対の第１リブの延出端部に繋がるように形成されたことを要旨とする。
請求項８に係る発明によれば、このようにリブが配置されて、第１壁部の隅部にスペースを設けることができるので、このスペースに例えば連通部などの構成を配置できる。
【発明の効果】
【００１４】
本発明に係るレゾネータによれば、壁部の剛性を高めて優れた騒音低減効果を達成し得る。
【図面の簡単な説明】
【００１５】
【図１】本願の実施例に係るレゾネータの斜視図である。
【図２】実施例に係るレゾネータを縦断して示す斜視図である。
【図３】図１のＩＩＩ−ＩＩＩ線断面図である。
【図４】実施例に係るレゾネータの上半体を開口部側から見た平面図である。
【図５】別の実施例に係るレゾネータを縦断して示す斜視図である。
【図６】別の実施例に係るレゾネータの上半体を開口部側から見た平面図である。
【発明を実施するための形態】
【００１６】
本発明に係るレゾネータにつき、好適な実施例を挙げて、添付図面を参照して以下に説明する。実施例では、２つの半体を上下に組み付けたレゾネータを例に挙げて説明する。
【実施例】
【００１７】
図１〜図４に示すように、実施例に係るレゾネータ１０には、該レゾネータ１０の上側を構成する上半体(第１構成部材)１２Ａと、レゾネータ１０の下側を構成する下半体(第２構成部材)１２Ｂとを組み合わせて構成される箱状体の内部に、１つの共鳴室１４が画成されている。上半体１２Ａは、レゾネータ１０の上面を構成する第１上壁部１６Ａと、この第１上壁部１６Ａの外縁辺の夫々に立設され、レゾネータ１０の側面上部を構成する第２上壁部１８Ａとにより下方に開放する箱状に形成される。下半体１２Ｂは、レゾネータ１０の下面を構成する第１下壁部１６Ｂと、この第１下壁部１６Ｂの外縁辺の夫々に立設され、レゾネータ１０の側面下部を構成する第２下壁部１８Ｂにより上方に開放する箱状に形成される。実施例では、上半体１２Ａおよび下半体１２Ｂは、基本的な形状が上下対称となっている。なお、上半体１２Ａおよび下半体１２Ｂに関する共通の構成については、名称中の「上」および「下」の記載と、符号中の「Ａ」および「Ｂ」の記載とを省略して纏めて説明する。レゾネータ１０は車両のエンジンルームに配置され、エンジンに外部から空気を取り込む吸気ダクトに配設される。実施例のレゾネータ１０は、連通管３２が吸気ダクトに接続される。半体１２は、射出成型等の合成樹脂の型成形により形成することができる。そして、上半体１２Ａおよび下半体１２Ｂは、開口部２８の縁に外方へ延出形成されたフランジ部３０を互いに突き合せて組み付け、爪による係合や接着や溶着などで接合される。
【００１８】
第１壁部１６は、水平方向に延在する略矩形状の板材であり、共鳴室１４の端面を画成する。第２壁部１８は、第１壁部１６と交差する方向に延在する略矩形状の板材であり、第１壁部１６の４つの外縁辺の夫々に１つの第２壁部１８が立設され、共鳴室１４の周面を画成する。半体１２は、第２壁部１８で画成される開口部２８が、第１壁部１６と対向する。第２壁部１８は、該第２壁部１８が立設する第１壁部１６の外縁辺に沿う方向(以下、第２壁部１８の幅方向と言う)の両縁で、隣接する第２壁部１８に夫々繋がっている。実施例では、第２壁部１８における幅方向の縁とは、２つの第２壁部１８が繋がる曲面状部分の中央部を言う。また、各第２壁部１８は、異なる第２壁部１８の１つと対向している。上半体１２Ａには、共鳴室１４に繋がる通路を有する筒状の連通管(連通部)３２が、第１上壁部１６Ａの中央部に該第１上壁部１６Ａを貫通して上方および下方に突出するよう形成されている。
【００１９】
図２〜図４に示すように、半体１２は、第１壁部１６の内面および複数の第２壁部１８のうち１つの内面に連ねて突出形成された一対の第１リブ２０,２０からなるリブの組を有している。一対の第１リブ２０,２０は、第２壁部１８との連接端部(以下、単に連接端部２４という)から離れるにつれて互いに近づくように延在して該第２壁部１８からの延出端部(以下、単に延出端部２６という)で繋がっている。また、半体１２は、第１壁部１６の内面に、第２リブ２２が突出形成されている。このように実施例では、上半体１２Ａおよび下半体１２Ｂの夫々に第１リブ２０および第２リブ２２が形成されている。実施例の半体１２は、４つの第２壁部１８の夫々に一対の第１リブ２０,２０が設けられている。すなわち、半体１２は、異なる第２壁部１８に連なる一対の第１リブ２０,２０を４組有している。
【００２０】
第１リブ２０は、第１壁部１６から開口部２８に向かって突出すると共に、第２壁部１８との連接端部２４から該第２壁部１８に対向する第２壁部１８側へ平板状に延在する。図３に示すように、第１リブ２０における第１壁部１６からの突出寸法は、該第１リブ２０が連なる第２壁部１８における第１壁部１６からの突出寸法の半分以上に設定される。以下の説明では、第２壁部１８、第１リブ２０および第２リブ２２に関して、第１壁部１６からの突出寸法を単に突出寸法という。第１リブ２０は、延出端部２６の突出寸法が、該第１リブ２０が連なる第２壁部１８の突出寸法より小さく設定されている。すなわち、第１リブ２０が、共鳴室１４を区画しないようになっている。また、第１リブ２０は、連接端部２４側から延出端部２６側へ向かうにつれて突出寸法が小さくなっている。実施例では、第１リブ２０における連接端部２４の突出寸法が、第２壁部１８の突出寸法の半分以上で第２壁部１８の突出寸法より小さい範囲に設定されている。また、実施例では、第１リブ２０における延出端部２６の突出寸法が、第２壁部の突出寸法の半分以上で連接端部２４の突出寸法より小さい範囲に設定されている。より詳細には、連接端部２４の突出寸法は、第２壁部１８の突出寸法の約９割に設定され、延出端部２６の突出寸法は、第２壁部１８の突出寸法の約７割に設定されている。また、第１リブ２０の連接端部２４は、第２壁部１８において隣の第２壁部１８に繋がる幅方向の縁から離間した位置に連なっている。すなわち、第１リブ２０は、第２壁部１８の幅方向の縁ではなく、第２壁部１８における幅方向の途中位置に連なっている。
【００２１】
図４に示すように、一対の第１リブ２０,２０は、互いに合流する延出端部２６が連接端部２４間の中央部に位置し、第２壁部１８から突出する一対の第１リブ２０,２０が互いに近づくようバランスよく傾斜して合流する。実施例の一対の第１リブ２０,２０は、延出端部２６が互いの連接端部２４間の中央を通り第２壁部１８に垂直な平面上に位置する。そして、一対の第１リブ２０,２０は、第２壁部１８に対して一方の第１リブ２０が他方の第１リブ２０側に傾斜する角度が等しくなるよう設定される。また、一対の第１リブ２０,２０は、第２壁部１８からの延出寸法が等しくなるよう設定される。実施例では、一対の第１リブ２０,２０および第２壁部１８により、平面視で、該第２壁部１８を底辺とする二等辺三角形が形成されている。すなわち、一対の第１リブ２０,２０が、幅方向に対称な関係で第２壁部１８から突出する。
【００２２】
一対の第１リブ２０,２０は、夫々の連接端部２４と該連接端部２４に近い側に延在する第２壁部１８における幅方向の縁との離間幅が同じになるよう、該第２壁部１８に夫々連接される。すなわち、一対の第１リブ２０,２０が、第２壁部１８において幅方向の一方の縁側へ偏らず、第２壁部１８の幅方向にバランスよく配置される。実施例では、一対の第１リブ２０,２０が、第２壁部１８において、隣接する第２壁部１８とを繋ぐ曲面状部分に比べて曲率の小さな略平坦な部分を幅方向に三等分する位置に連接される。そして、一対の第１リブ２０,２０の延出端部２６は、一対の第１リブ２０,２０が連なる第２壁部１８における幅方向の中央部に位置する。
【００２３】
一対の第１リブ２０,２０の延出端部２６は、該一対の第１リブ２０,２０が連なる第２壁部１８と、該第２壁部１８に対向する第２壁部１８との中央部より、連なる第２壁部１８側に位置するよう設定される。すなわち、一対の第１リブ２０,２０の延出端部２６は、第１壁部１６の中央部より該一対の第１リブ２０,２０が連なる第２壁部１８側に位置し、第１壁部１６における中央部をあけて配置される。また、一対の第１リブ２０,２０が合流する延出端部２６は、第１壁部１６の内面から開口部２８に向かって突出する柱状に形成されている。実施例における一対の第１リブ２０,２０の延出端部２６は、中空の筒状をなし、該延出端部２６を含めて第１リブ２０の肉厚が一定に保たれている。
【００２４】
２組の一対の第１リブ２０,２０の延出端部２６間は、第２リブ２２で連接される。第２リブ２２は、第１壁部１６から開口部２８に向かって突出すると共に、２組の一対の第１リブ２０,２０の延出端部２６間に直線的に延在する板状に形成される。第２リブ２２は、隣り合う第２壁部１８に連なる２組の一対の第１リブ２０,２０の延出端部２６に繋がっている。実施例では、一対の第１リブ２０,２０の延出端部２６が、隣り合う２つの第２壁部１８に連なる２組の一対の第１リブ２０,２０の延出端部２６の夫々と繋がれている。すなわち、半体１２は、４組の一対の第１リブ２０,２０の延出端部２６が、４つの第２リブ２２で環状に繋がれている。このように、第２リブ２２は、第１壁部１６の中央部をあけて配置される。上半体１２Ａは、４つの第２上リブ２２Ａで囲まれた第１上壁部１６Ａの中央部に、連通管３２が設けられている。第２リブ２２の突出寸法は、第１リブ２０における延出端部２６の突出寸法以下に設定される。実施例では、第２リブ２２の突出寸法が、第１リブ２０における延出端部２６の突出寸法の約半分に設定されている。
【００２５】
(実施例の作用)
次に、実施例に係るレゾネータ１０の作用について説明する。レゾネータ１０は、一対の第１リブ２０,２０が、連接端部２４から離れるにつれて互いに近づくよう延在して延出端部２６で繋がるので、第２壁部１８に掛かる力を一対の第１リブ２０,２０で互いに支持することができる。そして、一対の第１リブ２０,２０の延出端部２６が、連接される第２リブ２２により支持されると共に、該第２リブ２２は、異なる第２壁部１８に連なる２組の一対の第１リブ２０,２０の延出端部２６間に延在している。このため、異なる第２壁部１８に掛かる力が、第２リブ２２を介して第１リブ２０および第２壁部１８で互いに支持される。従って、レゾネータ１０は、一対の第１リブ２０,２０と第２リブ２２とからなるリブ構造で、第２壁部１８の剛性を確保して第２壁部１８の共振を抑え、狙い通りの騒音低減効果を達成できる。また、レゾネータ１０は、一対の第１リブ２０,２０の延出端部２６が互いの連接端部２４の中央部に位置するので、一対の第１リブ２０,２０に掛かる力を延出端部に集中させ易く、一対の第１リブ２０,２０でバランスよく第２壁部１８に掛かる力を支持できる。更に、レゾネータ１０は、一対の第１リブ２０,２０が、幅方向に対称な関係で第２壁部１８から突出して合流するので、一対の第１リブ２０,２０に掛かる力を、延出端部２６にバランスよく集中させて、一対の第１リブ２０,２０で第２壁部１８に掛かる力を適切に支持できる。レゾネータ１０は、一対の第１リブ２０,２０が、夫々の連接端部２４と、該連接端部２４に近い側に延在する第２壁部１８における幅方向の縁との離間幅が同じになるよう第２壁部１８に夫々連接される。このため、第２壁部１８における幅方向の両縁の間にバランスよく配置された一対の第１リブ２０,２０により、第２壁部の剛性を効果的に高めることができる。レゾネータ１０は、一対の第１リブ２０,２０が、第２壁部１８における前記平坦な部分を幅方向に三等分する位置に連接されるので、第２壁部１８の幅方向に亘る剛性を高めることができる。
【００２６】
レゾネータ１０は、１つの第２壁部１８に連なるリブを２本の第１リブ２０だけとし得るリブ構造なので、リブの本数を少なくして軽量化できる。レゾネータ１０は、一対の第１リブ２０,２０の連接端部２４の突出寸法を、該一対の第１リブ２０,２０が連なる第２壁部１８の突出寸法の半分以上に設定することで、一対の第１リブ２０,２０により第２壁部１８に掛かる力を効果的に支持できる。すなわち、レゾネータ１０は、第１リブ２０の高さを抑えて軽量化できる。レゾネータ１０は、一対の第１リブ２０,２０の延出端部２６の突出寸法を、連接端部２４の突出寸法より小さく設定したので、軽量化できる。レゾネータ１０は、一対の第１リブ２０,２０の延出端部２６の突出寸法を該一対の第１リブ２０,２０が連なる第２壁部１８の突出寸法より小さく設定したので、一対の第１リブ２０,２０および第２リブ２２が共鳴室１４を区切らない。このため、第１リブ２０および第２リブ２２を設定しても第１壁部１６および第２壁部１８で囲う全体を共鳴室１４として用いることができる。
【００２７】
レゾネータ１０は、一対の第１リブ２０,２０の延出端部２６が柱状となっているので、一対の第１リブ２０,２０が合流して力が集中する延出端部２６の強度を高めることができる。従って、一対の第１リブ２０,２０に支持される第２壁部１８の剛性を高めることができる。レゾネータ１０は、一対の第１リブ２０,２０における柱状の延出端部２６が筒状となっているので、中身が詰まった形状と比べて軽量化を図り得る。また、延出端部２６を筒状としたことで、該延出端部２６の板厚を抑えることができ、成形時に冷却され易く製造効率がよい。レゾネータ１０は、第２壁部１８、第１リブ２０および第２リブ２２を第１壁部１６から同じ方向へ突出させたので、半体１２を型成形する際に、第１壁部１６側から開口部２８側へ型抜きできる。レゾネータ１０は、前述のようにリブの数を少なくでき、また第１リブ２０および第２リブ２２の高さを抑えることができるので、型成形における脱型性がよい。更に、レゾネータ１０は、リブの数が少なく、第１リブ２０および第２リブ２２の高さが抑えられるので、成形時の制約が小さく、連通管３２等の設計自由度が高い。
【００２８】
レゾネータ１０は、一対の第１リブ２０,２０の延出端部２６に２つの第２リブ２２が連接されるので、第２壁部１８の剛性をより向上させることができる。また、第２リブ２２が第１壁部１６の中央部をあけて配置されているので、第１壁部１６の中央部に連通管３２を設定できる。レゾネータ１０は、上半体１２Ａおよび下半体１２Ｂの夫々に第１リブ２０および第２リブ２２が設定されているので、レゾネータ１０全体の第２壁部１８の剛性を向上させることができる。
【００２９】
次に、図５および図６を参照して別の実施例について説明する。別の実施例に係るレゾネータ４０は、第２リブ２２が繋ぐ２組の一対の第１リブ２０,２０の延出端部２６の組み合せと、連通管３２の配置とが前述の実施例に係るレゾネータ１０とは異なっている。なお、実施例と同一の部材・構成には、同一の符号を付して詳細な説明は省略する。別の実施例に係る第２リブ２２は、対向する第２壁部１８に夫々連なる２組の一対の第１リブ２０,２０の延出端部２６に繋がるよう形成される。別の実施例では、２組の一対の第１リブ２０,２０の延出端部２６を繋ぐ２つの第２リブ２２が設けられ、該２つの第２リブ２２が、第１壁部１６の中央部で交差して連接される。第２リブ２２は、一端に連なる一対の第１リブ２０,２０がなす角の二等分線上に延在すると共に、他端に連なる一対の第１リブ２０,２０がなす角の二等分線上に延在する。第２リブ２２は、一対の第１リブ２０,２０の延出端部２６から、第１壁部１６の中央部に向かって延出する。上半体１２Ａでは、第１上壁部１６Ａにおける２つの第２上壁部１８Ａが連なる角隅部に連通管３２が設定されている。
【００３０】
(別の実施例の作用)
次に、別の実施例に係るレゾネータ４０について、前述の実施例に係るレゾネータ１０と異なる作用について説明する。別の実施例に係るレゾネータ４０は、第２リブ２２と干渉することなく、第１壁部１６における角隅部に連通管３２を設定できる。また、レゾネータ４０は、第２リブ２２同士を互いの交点で連接したので、第２壁部１８の剛性を高めることができる。また、レゾネータ４０は、連接される一対の第１リブ２０,２０がなす角の二等分線上に延在する第２リブ２２により、一対の第１リブ２０,２０の延出端部２６に集中する力を効果的に支持し得る。
【００３１】
(変更例)
前述した実施例の構成に限定されず、以下のようにも変更可能である。
(１) 実施例では、第１壁部と第２壁部とから箱状に形成された２つの構成部材を組み合わせるレゾネータを例に挙げたが、箱状に形成された構成部材と、該構成部材の開口を塞ぐ１つの壁部からなる蓋状の構成部材とを組み合わせるレゾネータであってもよい。
(２) 実施例では、第１構成部材および第２構成部材の夫々が、第１リブと、第２リブとを備える例を挙げて説明したが、少なとも一方の構成部材が、第１リブと、第２リブとを備えていればよい。
(３) 実施例では、第１壁部に連通部が設けられた例を挙げたが、第２壁部に連通部を設けてもよい。
(４) 実施例では、すべての第２壁部に一対の第１リブが連接される例を挙げたが、一対の第１リブは、複数の第２壁部のうち少なくとも２つに対応して設けられていればよい。すなわち、第１リブが連接されていない第２壁部があってもよい。
(５) １つの構成部材において、隣り合う第２壁部に夫々連なる２組の第１リブの延出端部に繋がるよう形成された第２リブと、対向する第２壁部に夫々連なる２組の第１リブの延出端部に繋がるよう形成された第２リブとを設けてもよい。
(６) 実施例では、第１リブの延出端部が筒状に形成される例を挙げたが、延出端部は内部に空間のない中身の詰まった柱状であってもよい。また、一対の第１リブの延出端部が、板状部分で互いに繋がっていてもよい。更に、第２リブが互いに交差する部分を柱状に形成してもよい。
(７) 実施例では、構成部材に設けた筒状の連通部を吸気ダクトに接続する例を挙げて説明したが、構成部材に連通部としての開口を設け、該開口を吸気ダクトに接続してもよい。
(８) 実施例では、リブ構成の同じ第１構成部材と第２構成部材とを組み合わせる例を挙げて説明したが、実施例のリブ構成の構成部材と別の実施例のリブ構成の構成部材とを組み合わせてもよい。
【符号の説明】
【００３２】
１０ レゾネータ，１２Ａ 上半体(第１構成部材)，１２Ｂ 下半体(第２構成部材)，
１４  共鳴室，１６Ａ 第１上壁部(第１壁部)，１６Ｂ 第１下壁部(第１壁部)，
１８Ａ 第２上壁部(第２壁部)，１８Ｂ 第２下壁部(第２壁部)，
２０Ａ 第１上リブ(第１リブ)，２０Ｂ 第１下リブ(第１リブ)，
２２Ａ 第２上リブ(第２リブ)，２２Ｂ 第２下リブ(第２リブ)，
２４Ａ 上連接端部(連接端部)，２４Ｂ 下連接端部(連接端部)，
２６Ａ 上延出端部(延出端部)，２６Ｂ 下延出端部(延出端部)，４０ レゾネータ
【図１】
0006351422.tif 000002
【図２】
0006351422.tif 000003
【図３】
0006351422.tif 000004
【図４】
0006351422.tif 000005
【図５】
0006351422.tif 000006
【図６】
0006351422.tif 000007